(57)【要約】【課題】光ディスク再生装置において、操作性を向上させ、入力ボタンを効率よく配置する。【解決手段】操作円盤部９１０は、ジョグダイヤルなどの回転可能な操作盤である。回転検出部９１１は、操作円盤部９１０の回転方向および回転速度を検出する。押圧検出部９０１〜９０８は、操作円盤部の異なる位置に配置され、操作円盤部９１０が押圧されたことを各々検出する。選択部９０９は、操作円盤部９１０におけるあらかじめ定めた複数の操作モードのうちの一つの操作モードの選択を受け付け、受け付けた操作モードを制御部１１に出力する。制御部１１は、選択部９０９で受け付けた操作モードに従って、回転検出部９１１で検出された回転方向および回転速度と、押圧されたことを検出した押圧検出部９０１〜９０８とに対応するあらかじめ定めた指示に基づいて再生制御を行う。【選択図】図９
2006040471.tif 000002
【特許請求の範囲】
【請求項１】
光ディスクに記録された情報を再生する光ディスク再生装置において、
前記光ディスクから情報を読み出す読み出し部と、
前記読み出し部により読み出された情報を記憶する記憶部と、
前記記憶部に記憶された情報の再生を制御する制御部と、
前記制御部における再生についてのあらかじめ定めた指示を受け付ける操作部と、
前記制御部により再生された情報を出力する出力部とを有し、
前記操作部は、回転可能な操作円盤部と、前記操作円盤部が押圧されたことを各々検出し、前記操作円盤部の異なる位置に配置される複数の押圧検出部と、前記操作円盤部におけるあらかじめ定めた複数の操作モードのうちの一つの操作モードの選択を受け付ける選択部とを備え、
前記制御部は、前記選択部で受け付けた操作モードに従って、押圧されたことを検出した押圧検出部に対応するあらかじめ定めた指示に基づいて再生の制御を行うことを特徴とする光ディスク再生装置。
【請求項２】
請求項１に記載の光ディスク再生装置において、前記操作部は、前記操作円盤部の回転方向および回転速度を検出する回転検出部をさらに備え、
前記制御部は、前記回転検出部で検出された回転方向および回転速度に対応するあらかじめ定めた指示に基づいてさらに前記再生制御を行うことを特徴とする光ディスク再生装置。
【請求項３】
請求項１に記載の光ディスク再生装置において、前記複数の押圧検出部の各々の配置位置に対応する位置に、前記操作指示の指示内容を表示する表示部をさらに備えることを特徴とする光ディスク再生装置。
【請求項４】
請求項１に記載の光ディスク再生装置において、前記選択部により選択された操作モードを表示する表示部をさらに備えることを特徴とする光ディスク再生装置。
【請求項５】
請求項１に記載の光ディスク再生装置において、前記押圧検出部が押圧されたことを示す表示部をさらに備えることを特徴とする光ディスク再生装置。
【請求項６】
光ディスクに記録された情報を再生する光ディスク再生装置において、
前記光ディスクから情報を読み出す読み出し部と、
前記読み出し部により読み出された情報を記憶する記憶部と、
前記記憶部に記憶された情報の再生を制御する制御部と、
前記制御部における再生についてのあらかじめ定めた指示を受け付ける操作部と、
前記制御部により再生された情報を出力する出力部とを有し、
前記操作部は、回転可能な操作円盤部と、前記操作円盤部の回転方向および回転速度を検出する回転検出部と、前記操作円盤部におけるあらかじめ定めた複数の操作モードのうちの一つの操作モードの選択を受け付ける選択部とを備え、
前記制御部は、前記選択部で受け付けた操作モードに従って、前記回転検出部で検出された回転方向および回転速度に対応するあらかじめ定めた指示に基づいて前記再生制御を行うことを特徴とする光ディスク再生装置。
【請求項７】
回転可能な操作円盤部を備える光ディスクに記録された情報を再生する光ディスク再生装置において、
前記操作円盤部が押圧されたことを各々検出し、前記操作円盤部の異なる位置に配置される複数の押圧検出部と、前記複数の押圧検出部の各々に対応させてあらかじめ定めた入力指示機能を記憶する記憶部と、前記操作円盤部が押圧されたことを前記押圧検出部が検出したときに、前記記憶部に記憶された当該押圧検出部に対応する入力指示機能に基づいて制御を行う制御部とを有することを特徴とする光ディスク再生装置。
【発明の詳細な説明】
【技術分野】
【０００１】
本発明は、光ディスクから読み取ったオーディオデータを記憶部に記憶し、記憶部に記憶したオーディオデータの読み出し速度及び読み出し順序を指示する操作円盤部を備える光ディスク再生装置の技術に関する。
【背景技術】
【０００２】
光ディスク再生装置を操作してオーディオデータを再生するディスクジョッキー（ＤＪ：Ｄｉｓｃ  Ｊｏｃｋｅｙ）は、アナログレコード又はコンパクトディスク（ＣＤ：Ｃｏｍｐａｃｔ  Ｄｉｓｃ）等のディスクに記録された信号を再生している最中に、擦れ音のような効果音を発生させるスクラッチ再生と呼ばれる特殊再生を行うことがある。ＤＪは、アナログレコードプレーヤを用いてスクラッチ再生を行う場合、再生中のアナログレコードを素早く通常の回転方向である時計回り方向又はその反対方向である反時計回り方向に強制的に手動で回すことにより擦れ音を発生させる。また、このアナログレコードプレーヤによるスクラッチ再生と同様のスクラッチ再生を行うことが可能なＤＪ用ＣＤプレーヤがある。
このＤＪ用ＣＤプレーヤは、ジョグダイヤルおよび記憶部（メモリ）を備え、ＣＤから再生したオーディオデータをメモリに記憶し、ジョグダイヤルを時計回り方向又は反時計回り方向に回転させることにより、メモリに記憶されたオーディオデータの読み出し速度および読み出し順序を制御し、アナログレコードによる擦れ音と同等の効果音を発生させる。このように、ＤＪは、ＣＤに記録されたオーディオデータをＤＪ用ＣＤプレーヤにより再生させることにより、ジョグダイヤルをアナログレコードと同じように回転操作して、アナログレコードと同様のスクラッチ再生を行うことができる（特許文献１）。このようなＤＪ用ＣＤプレーヤは、ジョグダイヤルが操作されない場合、ＣＤに記録されたオーディオデータを標準速度で再生（以下、通常再生という）する。ジョグダイヤルが回転操作された場合、ＤＪ用ＣＤプレーヤは、ジョグダイヤルの回転速度及び回転方向を検出し、検出した回転速度及び回転方向に応じて、ＣＤから再生し、メモリに記憶したオーディオデータの読み出し速度および読み出し順序を変えるスクラッチ再生を行っている。
【０００３】
また、ＤＪ用ＣＤプレーヤは、ジョグダイヤルの他に通常のＣＤプレーヤにない入力ボタン等を備えている。例えば、ループ（繰り返し）再生を行う開始点（Ａポイント）を設定するＡボタン、ループ再生を行う終了点（Ｂポイント）を設定するＢボタン、トラックの再生を開始した位置（キューポイント）に戻りスタンバイ状態にするキューボタン、再生スピードを変化させるピッチベンドボタン、ループ再生のＡポイントやＢポイントなどの設定データを記憶、読み出すメモモードにするメモボタン、初期状態を設定するためのプリセットモードにするプリセットボタン、再生スピードを調整するピッチスライダーなどがある。
【０００４】
【特許文献１】特開平１１−８６４４６号公報
【発明の開示】
【発明が解決しようとする課題】
【０００５】
従来のＤＪ用ＣＤプレーヤにおいて、アナログレコードのターンテーブルと同様な操作感覚を得るためには、ジョグダイヤルをアナログレコードと同等の大きさにする必要がある。
【０００６】
ジョグダイヤルを大きくすると、操作パネルの面積は限られているため、上述したような複数の入力ボタンの配置が難しくなる。この場合、入力ボタンを小さくすると操作感覚が悪くなるという問題があり、また、従来の操作パネルより面積を大きくと、装置全体が大型化するという問題がある。
【０００７】
本発明は、上記課題を解決するために、光ディスク再生装置において、操作性を向上させ、入力ボタンを効率よく配置することができる技術を提供することを目的とする。
【課題を解決するための手段】
【０００８】
本発明は、上記課題を解決するため、光ディスクに記録された情報を再生する光ディスク再生装置において、前記光ディスクから情報を読み出す読み出し部と、前記読み出し部により読み出された情報を記憶する記憶部と、前記記憶部に記憶された情報の再生を制御する制御部と、前記制御部における再生についてのあらかじめ定めた指示を受け付ける操作部と、前記制御部により再生された情報を出力する出力部とを有し、前記操作部は、回転可能な操作円盤部と、前記操作円盤部が押圧されたことを各々検出し、前記操作円盤部の異なる位置に配置される複数の押圧検出部と、前記操作円盤部におけるあらかじめ定めた複数の操作モードのうちの一つの操作モードの選択を受け付ける選択部とを備え、前記制御部は、前記選択部で受け付けた操作モードに従って、押圧されたことを検出した押圧検出部に対応するあらかじめ定めた指示に基づいて再生の制御を行う。
【発明の効果】
【０００９】
本発明によれば、光ディスク再生装置において、操作部が、複数の操作モードを備えるため操作性を向上させることができ、入力ボタンを効率よく配置することが可能となる。
【発明を実施するための最良の形態】
【００１０】
以下、本発明の実施の形態を図面に基づいて説明する。
【００１１】
図１は、本発明の第一の実施の形態である光ディスク再生装置の構成を示すブロック図である。図１において、光ディスク再生装置は、ターンテーブル１、スピンドルモータ２、サーボ制御部３、光ピックアップ４、再生アンプ５、信号処理部６、メモリ制御部７、ＲＡＭ（Ｒａｎｄｏｍ  Ａｃｃｅｓｓ  Ｍｅｍｏｒｙ）８、ＤＡＣ（Ｄｉｇｉｔａ１  Ａｎａ１ｏｇ  Ｃｏｎｖｅｒｔｅｒ）９、出力端子１０、制御部１１、操作部１２および表示部１３を備える。本実施の形態における光ディスク再生装置は、操作部１２にジョグダイヤルを備え、ジョグダイヤルからの指示に従って、ＣＤから再生しＲＡＭ８に記憶されたデジタルオーディオデータの読み出し速度および読み出し順序を変えることができるＤＪ用のＣＤプレーヤである。
【００１２】
スピンドルモータ２に固定されたターンテーブル１は、ＣＤを固定する。操作部１２で再生開始の指示が入力されると、サーボ制御部３は、スピンドルモータ２を所定の線速度で回転駆動させて制御する。また、サーボ制御部３は、光ピックアップ４からのレーザ光によりＣＤのピット列を正しくトレースするために、図示しないフォーカスサーボ回路およびトラッキングサーボ回路を制御する。
【００１３】
光ピックアップ４が読み取ったデジタルオーディオデータは、再生アンプ５により波形整形及び増幅され信号処理部６に入力される。信号処理部６は、デジタルオーディオデータの復調、フォーカスエラー信号やトラッキングエラー信号等のエラー信号、同期信号の抜き出し等の処理をしてデジタルオーディオデータをメモリ制御部７に入力する。
【００１４】
メモリ制御部７は、入力されたデジタルオーディオデータをＲＡＭ８に入力するよう制御する。ＲＡＭ８は、入力されたデジタルオーディオデータを記憶する。ＲＡＭ８が記憶したデジタルオーディオデータは、メモリ制御部７の制御により読み出されＤＡＣ９に入力される。ＤＡＣ９は、デジタルオーディオデータをアナログオーディオ信号に変換する。ＤＡＣ９により変換されたアナログオーディオ信号は、出力端子１０から出力される。
【００１５】
表示部１３は、現在再生しているトラックの再生時間、トラックナンバー等を表示する。
【００１６】
操作部１２は、再生／再生停止指示やイジェクト指示などのあらかじめ定めた指示を受け付けるための入力スイッチを備える。また、本実施の形態における操作部１２には、あらかじめ定めた指示を受け付けるために、ジョグダイヤルなどの回転可能な操作円盤部を備える。
【００１７】
図２および図３は、本実施の形態におけるＣＤプレーヤの操作部１２に備えるジョグダイヤルの側断面を示す図である。図２および図３において、操作部１２は、載置部２１、マット部２２、操作円盤部２３、突起部２３ａ、保持部２４、回転軸２５、ネジ２６、スケール部２７、スリット部２７ａ、ＣＤプレーヤの筐体部２８、光センサ部２９、押圧検出部３０および押圧検出部のスイッチ部３０ａを備える。
【００１８】
また、図４は、本実施の形態におけるＣＤプレーヤの操作部１２に備える操作円盤部（ジョグダイヤル）の上面を示す図である。本実施形態における操作円盤部２３は、直径１ｃｍ〜３０ｃｍのアナログレコードの大きさに相当する円盤状のジョグダイヤルにより構成され、ＣＤプレーヤの上面に取り付けられている。      
載置部２１は、筐体部２８に固定されている。マット部２２は、中心部に回転軸２５が挿入され載置部２１の上面に載置されている。操作円盤部２３は、中心部に回転軸２５が挿入されマット部２２の上面に載置されている。このマット部２２は、スプリットマットなどであり、操作円盤部２３が載置部２１上で滑らかに回転するために用いられている。マット部２２は、操作円盤部２３と略同一の外形を有し、摩擦係数が小さく、静電気が発生しにくい樹脂材料等からなる。載置部２１、マット部２２および操作円盤部２３は、ＤＪが用いるアナログレコードプレーヤにおいて、ターンテーブル、スリップマット及びアナログレコードと対応する。このため、ＤＪは、アナログレコードプレーヤと同様の操作感覚で本実施の形態におけるＣＤプレーヤを操作することができる。また、載置部２１は、ポリカーボネート樹脂等からなる。ここで、操作円盤部２３として、載置部２１上で滑らかに回転することができ静電気が発生しにくい材料を用いれば、上述したマット部２２は、載置部２１と操作円盤部２３との間に備えなくても良い。保持部２４は、中心部に回転軸２５が挿入され操作円盤部２３の上面に載置されており、保持部２４に設けられた図示しない凹部に操作円盤部２３に設けられた突起部２３ａを挿入しネジ２６で回転軸２５に固定される。このため、操作円盤部２３は、回転操作されても回転軸２５から外れることがなく、マット部２２を介して載置部２１の上面で回転することができる。
【００１９】
スケール部２７は、中心部に回転軸２５が挿入され図示しないネジにより回転軸２５に固定されている。操作円盤部２３とスケール部２７は、回転軸２５を介して一体的な構造となっているため、操作円盤部２３が回転操作されると、スケール部２７も操作円盤部２３と同じ回転速度および同じ回転方向で回転する。スケール部２７には、外周部にスリット部２７ａが設けられている。スリット部２７ａは、例えば、長方形状の開口部又はカーボンが含まれた印刷塗料による印刷によって形成されている。
【００２０】
本実施の形態の第１の検出部である光センサ部２９は、操作円盤部２３と共に回転するスケール部２７の回転速度及び回転方向を検出するために、２つの光センサを同一円周上の異なる位置に備え、スリット部２７ａを検出できる位置に筐体部２８に固定されている。光センサ部２９は、スリット部２７ａを検出すると、２つの光センサから位相が異なる（例えば、９０度の位相差）パルス信号ａおよびパルス信号ｂを発生して制御部１１に出力する。以下、この位相の異なるパルス信号ａおよびパルス信号ｂを第１制御信号という。この場合、２つの光センサは、スリット部２７ａを検出したときにパルス信号をそれぞれ出力しており、２つのセンサの設置位置により、スリット部２７ａを検出する時刻がずれるため、出力するパルス信号の位相差が生じている。
【００２１】
本実施の形態の第２の検出部である押圧検出部３０は、筐体部２８上において回転軸２５を中心とした半径Ｒの円の同一円周上に等間隔で備えられている。この押圧検出部３０は、図４に示すように、回転軸２５から操作円盤部２３の外周部より内側に設けてもよいし、回転軸２５から操作円盤部２３の外周部までの長さと半径Ｒとをほぼ等しくして設けてもよい。押圧検出部３０の数は、操作円盤部２３の大きさや載置部２１および操作円盤部２３の弾性強度に応じて定められる。本実施の形態では、８個の押圧検出部３０を、隣接する押圧検出部間の距離が均等になるように設けている。この押圧検出部３０のスイッチ部３０ａは、例えば、ソフトタッチタイプ（スイッチ部３０ａを押し下げたとき、反発抵抗が小さいタイプ）のプッシュ型のスイッチであり、スイッチ部３０ａの移動量（ストローク）は、０．５ｍ程度である。押圧検出部３０は、押下（タッチ）されたことと、押下が解除（リリース）されたこととを検出する。押圧検出部３０は、押下（タッチ）されたときに第２制御信号を出力し、押下が解除（リリース）されたときに第２制御信号の出力を停止する。
【００２２】
図３に示すように、ＣＤプレーヤの操作者（ＤＪ）が操作円盤部２３の外周部を押圧した場合、載置部２１、マット部２２および操作円盤部２３は、Ｄ点を支点として押圧力により下方向に撓む。このとき、載置部２１の外周部が押圧検出部３０のスイッチ部３０ａを押し下げると、押圧検出部３０は、第２制御信号を発生して制御部１１に出力する。制御部１１は、入力される第１制御信号のパルス信号ａおよびパルス信号ｂの位相差に基づいて操作円盤部２３の回転方向を判別する。例えば、パルス信号ａおよびパルス信号ｂの位相差が９０度である場合、操作円盤部２３が時計回り方向に回転しているとき、パルス信号ａは、パルス信号ｂに対して、＋９０度の位相差となる。また、操作円盤部２３が反時計回り方向に回転しているとき、パルス信号ａは、パルス信号ｂに対して、―９０度の位相差となる。また、制御部１１は、一定時間に入力された第１制御信号のパルス信号ａ又はパルス信号ｂのどちらか一方のパルス信号のパルス数から操作円盤部２３の回転速度を判別する。
【００２３】
制御部１１は、後述するように、第１制御信号および第２制御信号が共に入力されたとき、判別した操作円盤部２３の回転速度および回転方向に対応した読み出し速度及び読み出し順序でＲＡＭ８からデジタルオーデータを読み出すようにメモリ制御部７を制御する。メモリ制御部７は、ＲＡＭ８に記憶されたデジタルオーディオデータの読み出し速度及び読み出し順序（オーディオデータを昇順アドレスで読み出す又は降順で読み出す）を制御する。例えば、制御部１１は、操作円盤部２３が時計回り方向に押下されながら回転操作されると、その操作された回転速度に応じた読み出し速度で、ＲＡＭ８に記憶されたデジタルオーディオデータを昇順アドレスで読み出すように制御をする。また、操作円盤部２３が押下されながら反時計回り方向に回転操作されると、その操作された回転速度に応じた読み出し速度で、ＲＡＭ８に記憶されたデジタルオーディオデータを降順アドレスで読み出すように制御をする（スクラッチ機能）。
【００２４】
また、制御部１１は、第１制御信号および第２制御信号が共に入力されていない状態から第１制御信号のみが入力されたとき（載置部２１、マット部２２および操作円盤部２３が撓まない力加減で操作円盤部２３を回転させたとき）、判別した操作円盤部２３の回転方向に応じて、ＲＡＭ８から読み出すデジタルオーディオデータの読み出し速度を高く又は低くするようにメモリ制御部７を制御する。メモリ制御部７は、ＲＡＭ８に記憶されたデジタルオーディオデータの読み出し速度を制御する（ピッチベンド機能）。
【００２５】
本実施の形態のＣＤプレーヤの再生動作について説明する。図５は、制御信号に対する再生動作について説明する図である。ＤＪは、操作部１２の再生ボタンを押すことにより、ＣＤに記録されたオーディオデータの通常再生５０１を開始させる。本実施の形態のＣＤプレーヤは、制御部１１に第１制御信号５０４および第２制御信号５０５が共に入力されていないとき、つまり、操作円盤部２３が回転操作されていないとき通常再生５０１を行う。
【００２６】
スクラッチ再生を行う場合、ＤＪは、通常再生をしているときに手で操作円盤部２３の外周部を押しながら素早く時計回り方向又は反時計回り方向に回転させる。通常、アナログレコードプレーヤを用いてスクラッチ再生５０２を行うとき、ターンテーブルの回転に逆らって素早くアナログレコードを回転させるために、ＤＪは、アナログレコードを押しながら回転操作を行う。また、アナログレコードを回転させるとき、ＤＪは、アナログレコードの内周部よりも外周部に手を添えるほうがアナログレコードを回転させ易い。このため、ＤＪがアナログレコードと同様の操作感覚で操作円盤部２３を操作すると、操作円盤部２３は、外周部が下方向に押圧されながら回転操作される。
【００２７】
ＤＪが操作円盤部２３の外周部を押しながら回転操作すると、図３に示すように、載置部２１、マット部２２および操作円盤部２３は、Ｄ点を支点として押圧力により下方向に撓む。このとき、載置部２１の外周部が１又は複数の押圧検出部３０のスイッチ部３０ａを押し下げると、押圧検出部３０は、第２制御信号を発生して制御部１１に出力する。また、光センサ部２９は、回転しているスリット部２７ａを検出すると、第１制御信号（上述したパルス信号ａおよびパルス信号ｂ）を発生して制御部１１に出力する。したがって、ＤＪが操作円盤部２３の外周部を押圧しながら回転操作を開始すると、図５に示すように、Ａ時点から第１制御信号５０４および第２制御信号５０５が制御部１１に出力される。
【００２８】
制御部１１は、第１制御信号５０４および第２制御信号５０５が共に入力されているとき、第１制御信号に基づいて判別した操作円盤部２３の回転速度及び回転方向に対応した読み出し速度および読み出し順序でＲＡＭ８からデジタルオーディオデータを読み出すようにメモリ制御部７を制御する。  
ＤＪが操作円盤部２３から手を離すと、載置部２１、マット部２２および操作円盤部２３は、弾性により図２に示すように操作円盤部２３が押圧される前の状態に戻る。載置部２１が押圧検出部３０のスイッチ部３０ａを押し下げなくなると、押圧検出部３０は、制御部１１に第２制御信号５０５の出力を停止する。制御部１１は、光センサ部２９から第１制御信号５０４が入力されていても、押圧検出部３０から第２制御信号５０５の入力が停止すると、スクラッチ再生５０２を終了（図５に示すＢ時点）する。制御部１１は、メモリ制御部７に通常再生時の読み出し速度でＲＡＭ８からデジタルオーディオデータを読み出し、通常再生５０３を行なうよう制御する。すなわち、図５に示すように、制御部１１は、第１制御信号５０４および第２制御信号５０５が共に入力されている場合は、第１制御信号に基づいてＲＡＭ８からデジタルオーディオデータを読み出す制御を行い、また、第２制御信号５０５の入力が停止し第１制御信号５０４のみが入力されている状態（図５に示すＣの部分）になると、デジタルオーディオデータを通常再生時の読み出し速度でＲＡＭ８から読み出す制御をする。したがって、操作円盤部２３が慣性によって回転している間に発生した第１制御信号５０４（図５に示すＣの部分）が制御部１１に入力されていても、本実施の形態のＣＤプレーヤは、制御部１１に第２制御信号５０５の入力が停止するとスクラッチ再生５０２から通常再生５０３に戻ることができる。
【００２９】
次に、ピッチベンド操作を行う場合について説明する。ピッチベンド操作を行う場合、ＤＪは、通常再生をしているときに、載置部２１、マット部２２および操作円盤部２３が撓まない力加減で操作円盤部２３を時計回り方向又は反時計回り方向に回転させる。光センサ部２９は、スリット部２７ａを検出すると、第１制御信号（パルス信号ａおよびパルス信号ｂ）を発生して制御部１１に出力する。このとき、載置部２１が押圧検出部３０のスイッチ部３０ａを押し下げないので、押圧検出部３０は、制御部１１に第２制御信号を出力しない。
【００３０】
制御部１１は、第１制御信号および第２制御信号が共に入力されていない状態から、第１制御信号のみが入力される状態になると、第１制御信号のパルス信号ａとパルス信号ｂの位相差に基づいて判別した操作円盤部２３の回転方向に応じて、メモリ制御部７にＲＡＭ８から読み出すデジタルオーディオデータの読み出し速度を高く又は低くする制御をさせる。例えば、ＤＪが操作円盤部２３を時計回り方向に回転操作すると、制御部１１は、操作円盤部２３の回転数（入力されたパルス信号ａ又はパルス信号ｂのパルス数）に応じて、ＲＡＭ８から読み出すデジタルオーディオデータの速度を高くしていくようにメモリ制御部７を制御する。逆に、ＤＪが操作円盤部２３を反時計回り方向に回転操作すると、制御部１１は、操作円盤部２３の回転数に応じて、ＲＡＭ８から読み出すデジタルオーディオデータの速度を低くしていくようにメモリ制御部７を制御する。第１制御信号の入力が停止すると、制御部１１は、メモリ制御部７に通常再生時の読み出し速度でＲＡＭ８からデジタルオーディオデータを読み出すよう制御する。
【００３１】
図６は、本実施の形態のＣＤプレーヤの再生動作を説明するフローチャートである。図６に示すフローチャートは、制御部１１が実行するＣＤプレーヤの再生時のプログラムのフローチャートを示している。ステップ１は、ＣＤに記録されたデジタルオーディオデータを読み取り、読み取ったデジタルオーディオデータをＲＡＭ８に記憶するステップである。ステップ２は、制御部１１が通常再生時の読み出し速度でデジタルオーディオデータをＲＡＭ８から読み出す制御をするステップである。制御部１１は、第１制御信号および第２制御信号が共に入力されていないとき、メモリ制御部７に通常再生時の読み出し速度でＲＡＭ８からデジタルオーディオデータを読み出す制御をする。
【００３２】
ステップ３は、第１制御信号が光センサ部２９から制御部１１に入力されたか否かを制御部１１が判別するステップである。操作円盤部２３が回転操作されると、光センサ部２９は、スリット部２７ａを検出し第１制御信号（パルス信号ａ及びパルス信号ｂ）を発生して制御部１１に入力する。第１制御信号が制御部１１に入力された場合はステップ４に進む。第１制御信号が制御部１１に入力されない場合は、引き続き通常再生を行う。
【００３３】
ステップ４は、第２制御信号が制御部１１に入力されたか否かを制御部１１が判別するステップである。ステップ３において、操作円盤部２３の外周部が下方向に押圧されながら回転操作され、載置部２２が押圧検出部３０のスイッチ部３０ａを押し下げて押圧検出部３０が第２制御信号を発生すると、第１制御信号及び第２制御信号が共に制御部１１に入力される。したがって、ＤＪが操作円盤部２３の外周部を押圧しながら回転操作を開始（図５に示すＡ点）すると、図５に示すように、第１制御信号及び第２制御信号が制御部１１に入力される。制御部１１に第１制御信号および第２制御信号が入力された場合はステップ５に進む。制御部１１に第１制御信号のみが入力された場合はステップ８に進む。
【００３４】
ステップ５は、制御部１１がジョグダイヤルの操作機能をスクラッチ機能とする制御をするステップである。制御部１１は、図５に示すように、第１制御信号及び第２制御信号が入力されているとき、ジョグダイヤルの操作機能をスクラッチ機能とする制御をする。そして、制御部１１は、操作円盤部２３が回転操作され光センサ部２９から入力される第１制御信号に基づいて、ＲＡＭ８から読み出すデジタルオーディオデータの読み出し速度及び読み出し順序（オーディオデータを昇順アドレスで読み出す又は降順で読み出す）を制御する。
【００３５】
ステップ６は、制御部１１に第２制御信号の入力が停止したか否かを制御部１１が判別するステップである。回転操作が終了し、載置部２１、マット部２２および操作円盤部２３が図２に示すように操作円盤部２３が押圧される前の状態に戻り、載置部２１が押圧検出部３０のスイッチ部３０ａを押下げなくなると、押圧検出部３０は、制御部１１に第２制御信号の入力を停止する。第２制御信号の入力が停止した場合はステップ７に進む。
【００３６】
ステップ７は、制御部１１が通常再生時の読み出し速度でデジタルオーディオデータをＲＡＭ８から読み出す制御をするステップである。制御部１１は、図５に示すように、第２制御信号の入力が停止すると、メモリ制御部７に通常再生時の読み出し速度でＲＡＭ８からデジタルオーディオデータを読み出す制御をする。ここで、操作円盤部２３の回転操作が終了した後、図５のＣの部分に示すように、操作円盤部２３が慣性により回転し第１制御信号が制御部１１に入力しても、制御部１１は、第２制御信号の入力が停止すると通常再生を行う制御をする。このため、操作円盤部２３の回転操作を終了すると、スクラッチ再生から通常再生にすぐに戻ることができる。
【００３７】
ステップ８は、制御部１１がジョグダイヤルの操作機能をピッチベンド機能とする制御をするステップである。制御部１１は、第１制御信号のみ入力されているとき、ジョグダイヤルの操作機能をピッチベンド機能とする制御をする。この場合、制御部１１は、操作円盤部２３が回転操作され光センサ部２９から入力される第１制御信号に基づいて、メモリ制御部７にＲＡＭ８から読み出すデジタルオーディオデータの読み出し速度を高く又は低くする制御する。
【００３８】
ステップ９は、制御部１１に第１制御信号の入力が停止したか否かを制御部１１が判別するステップである。操作円盤部２３の回転が停止すると、光センサ部２９は、制御部１１に第１制御信号の入力を停止する。第１制御信号の入力が停止した場合はステップ７に進む。または、第１制御信号の入力が停止した場合、ステップ２に移行するようにしてもよい。
【００３９】
上述した本発明の実施の形態では、本実施の形態の第２の検出部をプッシュ型スイッチとして説明したが、第２の検出部を光センサとしても良い。第２の検出部を光センサとした場合、載置部２１の外周部が予め定められた位置まで携むと、この光センサが載置部２１の外周部を検出することができる位置に光センサを筐体部２８に固定する。また、操作円盤部２３は、再生時に再生速度に応じてモータで駆動させるようにしてもよい。この場合、回転方向および速度を示す第一の制御信号からモータでの駆動方向および速度を差し引き、実際に操作者により操作された回転方向および速度を算出し、上記と同様な処理をすることができる。
【００４０】
上述したように、本実施の形態のＣＤプレーヤでは、ＤＪが手で操作円盤部２３の外周部を押しながらスクラッチ再生を行い、操作円盤部２３から手を離しスクラッチ再生を終了すると、直ちに、スクラッチ再生から通常再生に戻ることができる。また、操作円盤部２３を押す力加減に応じて、スクラッチ再生またはピッチベンド操作することができる。
【００４１】
第一の実施の形態によれば、機能切り替えの選択ボタンを必要とせずにジョグダイヤルを用いてスクラッチ操作およびピッチベント操作をすることができ、操作性を向上させることができ、入力ボタンを効率よく配置することができる。
【００４２】
また、従来のＤＪ用ＣＤプレーヤにおいては、ＤＪがジョグダイヤルを回転操作してジョグダイヤルから手を離した場合、ジョグダイヤルの回転が、慣性により直ぐに停止しないため通常再生に戻ることができないことがあるが、上記第一の実施の形態によれば、スクラッチ再生を行う場合、ＤＪがジョグダイヤルから手を離したときにスクラッチ再生を終了し、直ちに通常再生に戻るためＤＪが意図したタイミングでスクラッチ再生に戻ることができる。したがって、アナログレコードのスクラッチ再生による効果音と同等の効果音を発生させることができる。
【００４３】
つぎに、第二の実施の形態を説明する。第二の実施の形態では、上記第一の実施の形態における複数の押圧検出部のそれぞれに複数の入力ボタンの機能を割り当てる場合の実施の形態を示す。本実施の形態における光ディスク再生装置の構成は、第一の実施の形態における構成の操作部１２の代わりに操作部１２０を備え、他の構成要素は第一の実施の形態と同様である。
【００４４】
図７に、第二の実施の形態におけるＣＤプレーヤの操作部１２０の操作円盤部の上面図を示す。図７において、操作部１２０は、操作円盤部２３、モード選択ボタン３１、ＬＥＤ３２・３３・３４・３５および各種印刷表示部３６〜４３を備えている。また、操作円盤部２３の下には、押圧検出部３０１〜３０８が配置されている。本実施の形態においては、第一の実施の形態におけるスクラッチおよびビットベント機能を行うスクラッチモードと、押圧検出部３０１〜３０８にあらかじめ定めた入力スイッチを割り当てる入力スイッチモードと、押圧検出部３０１〜３０８に早送り／早戻しの操作を割り当てるスキャンモードとを備え、モード選択ボタン３１が押下されるごとに、選択されるモードが順次切り替わるようにしている。例えば、図８にモード切替フローチャートを示すように、モード選択ボタン３１が押下されるごとに、スクラッチモード（Ｓ８０１）→入力スイッチモード（Ｓ８０２）→スキャンモード（Ｓ８０３）→スクラッチモード（Ｓ８０１）にように選択モードが切り替わるように設定しておくことができる。スクラッチモードが選択されると、ＬＥＤ３２が点灯し、入力スイッチモードが選択されるとＬＥＤ３４が点灯し、スキャンモードが選択されるとＬＥＤ３５が点灯する。また、ＬＥＤ３３は、押圧検出部３０１〜３０８のいずれかが押下されたことが検出されたときに点灯し、押下されなくなると消灯する。さらに、押圧検出部３０１〜３０８のそれぞれに対応するＬＥＤを設けておき、対応する押圧検出部が押下されたことが検出されたときに点灯し、押下されなくなると消灯するようにしてもよい。
【００４５】
図７に示す操作部１２０の操作パネル上には、押圧検出部３０１〜押圧検出部３０８の位置を示し、また、押圧検出部３０１〜押圧検出部３０８に割り当てられた機能を示す印および文字が操作円盤部２３の周りに印刷表示部３６〜５１として、印刷（例えば、シルクスクリーン印刷）されている。印刷表示部３６〜５１は、印刷する代わりに、液晶やＬＥＤなどの表示手段により印や文字を表示するようにしてもよい。押圧検出部３０１〜押圧検出部３０８の位置を示すことで、スイッチの位置を明確にすることができ、スイッチの誤操作を防止している。
【００４６】
図７に示すＴＩＭＥ３６は、押圧検出部３０１に対応する位置に配置され、入力スイッチモードのときに割り当てられたＴＩＭＥボタン（再生時間の表示を指示するボタン）の機能を示す「Ｔ１ＭＥ」の印刷を示す。ＰＬＡＹ  ＭＯＤＥ３７は、押圧検出部３０２に対応する位置に配置され、入力スイッチモードのときに割り当てられたＰＬＡＹＭＯＤＥボタン（再生を指示するボタン）の機能を示す「ＰＬＡＹＭＯＤＥ」の印刷を示す。ＰＲＥＳＥＴ３８は、押圧検出部３０３に対応する位置に配置され、入力スイッチモードのときに割り当てられたＰＲＥＳＥＴボタン（初期状態を設定指示するボタン）の機能を示す「ＰＲＥＳＥＴ」の印刷を示す。ＭＥＭＯ３９は、押圧検出部３０４に対応する位置に配置され、入力スイッチモードのときに割り当てられたＭＥＭＯボタン（ループ再生のＡポイントおよびＢポイントなどの設定データの設定指示ボタン）の機能を示す「ＭＥＭＯ」の印刷を示す。ＥＦＦＥＣＴ４０は、押圧検出部３０５に対応する位置に配置され、入力スイッチモードのときに割り当てられたＥＦＦＥＣＴ１ボタン（エコー、プランジャーなどのあらかじめ定めたエフェクト機能を指示するボタン）の機能を示す「ＥＦＦＥＣＴ１」の印刷を示す。ＥＦＦＥＣＴ  ４１は、押圧検出部３０６に対応する位置に配置され、入力スイッチモードのときに割り当てられたＥＦＥＣＴ２ボタン（エコー、プランジャーなどのあらかじめ定めたエフェクト機能を指示するボタン）の機能を示す「ＥＦＦＥＣＴ２」の印刷を示す。ＥＦＦＥＣＴ  ４２は、押圧検出部３０７に対応する位置に配置され、入力スイッチモードのときに割り当てられたＥＦＦＥＣＴ３ボタン（エコー、プランジャーなどのあらかじめ定めたエフェクト機能を指示するボタン）の機能を示す「ＥＦＦＥＣＴ３」の印刷を示す。ＥＦＦＥＣＴ  ４３は、押圧検出部３０８に対応する位置に配置され、入力スイッチモードのときに割り当てられたＥＦＦＥＣＴ４ボタン（エコー、プランジャーなどのあらかじめ定めたエフェクト機能を指示するボタン）の機能を示す「ＥＦＦＥＣＴ４」の印刷を示す。
【００４７】
また、印刷表示部４４は、押圧検出部３０１に対応する位置に配置され、スキャンモードのときに割り当てられた早送りの２倍速スキャンの機能を示す印刷である。印刷表示部４５は、押圧検出部３０２に対応する位置に配置され、スキャンモードのときに割り当てられた早送りの４倍速スキャンの機能を示す印刷である。印刷表示部４６は、押圧検出部３０３に対応する位置に配置され、スキャンモードのときに割り当てられた早送りの８倍速スキャンの機能を示す印刷である。印刷表示部４７は、押圧検出部３０４に対応する位置に配置され、スキャンモードのときに割り当てられた早送りの１６倍速スキャンの機能を示す印刷である。印刷表示部４８は、押圧検出部３０５に対応する位置に配置され、スキャンモードのときに割り当てられた早戻しの２倍速スキャンの機能を示す印刷である。印刷表示部４９は、押圧検出部３０６に対応する位置に配置され、スキャンモードのときに割り当てられた早戻しの４倍速スキャンの機能を示す印刷である。印刷表示部５０は、押圧検出部３０７に対応する位置に配置され、スキャンモードのときに割り当てられた早戻しの８倍速スキャンの機能を示す印刷である。印刷表示部５１は、押圧検出部３０８に対応する位置に配置され、スキャンモードのときに割り当てられた早戻しの１６倍速スキャン機能を示す印刷である。
【００４８】
図９に、第２の実施の形態における操作部１２０の機能ブロック図を示す。図９において、操作部１２０は、指示を受け付けるための機能手段として、操作円盤部９１０、回転検出部９１１、押圧検出部９０１〜９０８および選択部９０９を備える。
【００４９】
操作円盤部９１０は、ジョグダイヤルなどの回転可能な操作盤であり、図７に示す操作円盤部２３に対応する。
【００５０】
回転検出部９１１は、操作円盤部９１０の回転方向および回転速度を検出し、制御部１１に対して第１制御信号を出力する。回転検出部９１１は、図２に示すスケール部２７、スリット部２７ａ、および、２つの光センサを備える光センサ部２９に対応する。
【００５１】
押圧検出部９０１〜９０８は、操作円盤部の異なる位置に配置され、操作円盤部９１０が押圧されたことを各々検出し、検出した押圧検出部は、制御部１１に第２制御信号を出力する。制御部１１は、あらかじめ定めた一定時間内に２以上の第２制御信号が入力されたときには、最初に入力された（操作者が操作円盤部９１０を押圧した位置から最も近くに配置されている押圧検出部から出力された）第２制御信号のみを受け付ける。または、押圧検出部９０１〜９０８において、押圧された圧力の大きさを検出するようにしておき、一定時間内に２以上の第２制御信号が入力された場合には、圧力が大きい押圧検出部からの第２の制御信号のみを受け付けるようにしてもよい。押圧検出部９０１〜９０８は、図７に示す押圧検出部３０１〜押圧検出部３０８、および、各押圧検出部ごとに設けられるスイッチ部３０ａに対応する。
【００５２】
選択部９０９は、操作円盤部９１０におけるあらかじめ定めた複数の操作モードのうちの一つの操作モードの選択を受け付け、受け付けた操作モードを制御部１１に出力する。選択部９０９は、図７に示すモード選択ボタン３１に対応する。本実施の形態においては、あらかじめ定めた複数の操作モードとしては、スクラッチモード、入力スイッチモードおよびスキャンモードを備えるが、これらのうちの２つの操作モードのみを備えてもよいし、これら以外の操作モードをさらに備えるようにしてもよい。
【００５３】
制御部１１は、押圧検出部９０１〜９０８の各々に対応させてあらかじめ定めた入力スイッチ等の指示機能を割り当てて内部メモリ（図示せず）  もしくはＲＡＭ８などに記憶している。制御部１１は、選択部９０９で受け付けた操作モードに従って、回転検出部９１１で検出された回転方向および回転速度と、押圧されたことを検出した押圧検出部９０１〜９０８とに対応するあらかじめ定めた指示に基づいて再生制御を行う。すなわち、押圧検出部９０１〜９０８には、操作モードごとに、あらかじめ指示内容が割り当てられており、制御部１１は、選択部９０９で選択された操作モードに従って、押圧されたことを検出した押圧検出部に割り当てられた指示に基づいて再生制御を行う。この場合、回転検出部９１１で検出された回転方向および回転速度にも対応して、あらかじめ定めた指示内容が割り当てられており、その指示に基づいて再生制御をさらに行うことができる。
【００５４】
以下、各操作モードの動作について詳述する。
【００５５】
まず、スクラッチモードについて説明する。操作円盤部２３のモード選択ボタン３１が押下され、スクラッチモードが選択されると、制御部１１は、ＬＥＤ３２を点灯させ、押圧検出部３０１〜３０８をスクラッチモードで機能するように制御する。また、スクラッチモードが選択されたとき、押圧検出部３０１〜押圧検出部３０８のスイッチ部３０ａが押圧され制御部１１に第２制御信号が入力されると、制御部１１は、操作円盤部２３が押圧されたことを示すためにＬＥＤ３３を点灯させ、第２制御信号の入力が停止すると、制御部１１は、ＬＥＤ３３を消灯させる。スクラッチモードの場合、制御部１１は、前述した第一の実施の形態におけるスクラッチ機能およびピッチベンド機能を実現するように、押圧検出部３０１〜３０８を制御する。第一の実施の形態において説明したように、制御部１１は、操作円盤部２３が押下され、押圧検出部３０１〜３０８のいずれかが押下されたことを検出して第２制御信号を出力し、回転操作されて光センサ部２９により第１制御信号が出力されると、その操作された回転速度および回転方向に応じた読み出し速度で、ＲＡＭ８に記憶されたデジタルオーディオデータを読み出すように制御し（スクラッチ機能）、第２制御信号の出力が停止したときに通常再生に戻るように制御する。また、制御部１１は、第１制御信号および第２制御信号が共に入力されていない状態から、回転操作されて第１制御信号のみが入力されたとき（載置部２１、マット部２２および操作円盤部２３が撓まない力加減で操作円盤部２３を回転させたとき）、判別した操作円盤部２３の回転方向に応じて、ＲＡＭ８から読み出すデジタルオーディオデータの読み出し速度を高く又は低くするようにメモリ制御部７を制御する。メモリ制御部７は、ＲＡＭ８に記憶されたデジタルオーディオデータの読み出し速度を制御する（ピッチベンド機能）。この際、制御部１１は、押圧検出部３０１〜３０８のいずれかから第２制御信号が出力されたときに、ＬＥＤ３３を点灯し、スクラッチ機能の状態であることを示す。また、制御部１１は、押圧検出部３０１〜３０８から第２制御信号の出力が停止されたときに、ＬＥＤ３３を消灯し、ピッチベント機能の状態であることを示す。ＬＥＤ３３を点灯／消灯することにより、スイッチが押下された状態であるか否かを示すことができる。
【００５６】
つぎに、入力スイッチモードについて説明する。操作円盤部２３のモード選択ボタン３１が押下され、入力スイッチモードが選択されると、制御部１１は、押圧検出部３０１〜３０８を入力スイッチモードで機能するように制御する。モード選択ボタン３１により入力スイッチモードが選択されると、制御部１１は、ＬＥＤ３４を点灯させる。
【００５７】
また、本実施の形態では、入力スイッチモードが選択されると、制御部１１は、従来のＤＪ用ＣＤプレーヤに備えられているＴＩＭＥボタン、ＰＬＡＹＭＯＤＥボタン、ＰＲＥＳＥＴボタン、ＭＥＭＯボタンおよびＥＦＦＥＣＴ（１−４）ボタンを押圧検出部３０１〜押圧検出部３０８のそれぞれに割り当てる。この場合、制御部１１では、押圧検出部３０１〜押圧検出部３０８が出力する第２制御信号が、どの押圧検出部から出力された第２制御信号であるかを識別する。例えば、押圧検出部３０１〜押圧検出部３０８の各々と制御部１１とを、異なる制御線により接続させておくことにより識別可能である。
【００５８】
ＴＩＭＥボタンが割り当てられた押圧検出部３０１は、スイッチ部３０ａが押圧されると制御部１１に第２制御信号を出力する。制御部１１は、押圧検出部３０１から第２制御信号が入力されると、トラック経過時間、トラック残り時間等から表示部１３に再生時間を表示するように制御する。
【００５９】
ＰＬＡＹＭＯＤＥボタンが割り当てられた押圧検出部３０２は、スイッチ部３０ａが押圧されると制御部１１に第２制御信号を出力する。制御部１１は、押圧検出部３０２から第２制御信号が入力されると、再生処理を行う。さらに、ＰＬＡＹＭＯＤＥボタン（押圧検出部３０２のスイッチ部３０ａ）の押し方により、プログラム再生、ランダム再生等の再生モードを切り替えるように規定しておいてもよい。例えば、一度短く押下されたときには通常再生、二度連続して押下されたときにはランダム再生、２秒以上長く押したときには設定されたプログラム再生というように、再生モードを切り替えるようにしてもよい。
【００６０】
ＰＲＥＳＥＴボタンが割り当てられた押圧検出部３０３は、スイッチ部３０ａが押圧されると制御部１１に第２制御信号を出力する。制御部１１は、押圧検出部３０３から第２制御信号が入力されると、初期状態を設定するためのプリセットモードに移行するように制御する。制御部１１は、プリセットモードで、初期状態の設定を操作部１２から受け付けて設定する。
【００６１】
ＭＥＭＯボタンが割り当てられた押圧検出部３０４は、スイッチ部３０ａが押圧されると制御部１１に第２制御信号を出力する。制御部１１は、押圧検出部３０４から第２制御信号が入力されると、ループ再生のＡポイントやＢポイントなどの設定データを記憶、読み出すメモモードに移行するように制御する。
【００６２】
ＥＦＦＥＣＴ１ボタンが割り当てられた押圧検出部３０５は、スイッチ部３０ａが押圧されると制御部１１に第２制御信号を出力する。制御部１１は、押圧検出部３０５から第２制御信号が入力されると、オーディオデータにエフェクト１を施すように制御する。
【００６３】
ＥＦＦＥＣＴ２ボタンが割り当てられた押圧検出部３０６は、スイッチ部３０ａが押圧されると制御部１１に第２制御信号を出力する。制御部１１は、押圧検出部３０６から第２制御信号が入力されると、オーディオデータにエフェクト２を施すように制御する。
【００６４】
ＥＦＦＥＣＴ３ボタンが割り当てられた押圧検出部３０７は、スイッチ部３０ａが押圧されると制御部１１に第２制御信号を出力する。制御部１１は、押圧検出部３０７から第２制御信号が入力されると、オーディオデータにエフェクト３を施すように制御する。
【００６５】
ＥＦＦＥＣＴ４ボタンが割り当てられた押圧検出部３０８は、スイッチ部３０ａが押圧されると制御部１１に第２制御信号を出力する。制御部１１は、押圧検出部３０８から第２制御信号が入力されると、オーディオデータにエフェクト４を施すように制御する。
【００６６】
エフェクト１〜４の各々には、エコー、プランジャーなどの異なるエフェクト機能をあらかじめ定めておく。
【００６７】
つぎに、スキャンモードについて説明する。操作円盤部２３のモード選択ボタン３１が押下され、スキャンモードが選択されると、制御部１１は、押圧検出部３０１〜３０８をスキャンモードで機能するように制御する。
【００６８】
スキャンモードでは、押圧検出部３０１に早送り（通常再生方向で再生速度を速めること）の２倍速（通常再生速度に対して２倍の再生速度）スキャンが割り当てられ、押圧検出部３０２に早送りの４倍速スキャンが割り当てられ、押圧検出部３０３に早送りの８倍速スキャンが割り当てられ、押圧検出部３０４に早送りの１６倍速スキャンが割り当てられる。また、押圧検出部３０５に早戻し（通常再生方向と逆方向で再生速度を速めること）の２倍速スキャンが割り当てられ、押圧検出部３０６に早戻しの４倍速スキャンが割り当てられ、押圧検出部３０７に早戻しの８倍速スキャンが割り当てられ、押圧検出部３０８に早戻しの１６倍速スキャンが割り当てられる。
【００６９】
制御部１１は、押圧検出部３０１から第２制御信号が入力されると、早送りの２倍速スキャンを実行し、押圧検出部３０１から第２制御信号の入力が停止すると、早送りの２倍速スキャンを停止する。また、制御部１１は、押圧検出部３０２から第２制御信号が入力されると、早送りの４倍速スキャンを実行し、第２制御信号の入力が停止すると、早送りの４倍速スキャンを停止する。制御部１１は、押圧検出部３０３から第２制御信号が入力されると、早送りの８倍速スキャンを実行し、第２制御信号の入力が停止すると、早送りの８倍速スキャンを停止する。制御部１１は、押圧検出部３０４から第２制御信号が入力されると、早送りの１６倍速スキャンを実行し、第２制御信号の入力が停止すると、早送りの１６倍速スキャンを停止する。また、制御部１１は、押圧検出部３０５から第２制御信号が入力されると、早戻しの２倍速スキャンを実行し、第２制御信号の入力が停止すると、早戻しの２倍速スキャンを停止する。制御部１１は、押圧検出部３０６から第２制御信号が入力されると、早戻しの４倍速スキャンを実行し、第２制御信号の入力が停止すると、早戻しの４倍速スキャンを停止する。制御部１１は、押圧検出部３０７から第２制御信号が入力されると、早戻しの８倍速スキャンを実行し、第２制御信号の入力が停止すると、早戻しの８倍速スキャンを停止する。制御部１１は、押圧検出部３０８から第２制御信号が入力されると、早戻しの１６倍速スキャンを実行し、第２制御信号の入力が停止すると、早戻しの１６倍速スキャンを停止する。また、制御部１１は、早送り／早戻しのスキャン実行の停止後は、通常再生に戻るように制御することができる。
【００７０】
これにより、スキャンの方向および速度が押下する位置によりあらかじめ定められているので、操作者は、スキャンの方向および速度を容易に選択指示することができる。また、操作者は、ボタン（操作円盤部２３の押圧検出部）を押し続けている間は、選択された方向および速度を保持し、ボタンから手を離すとそのスキャン位置で早送りを停止させることができる。従来、早送りおよび早戻しをする際、早送り／早戻しボタンを押した時間に比例して再生速度を上げるような制御では、操作者による速度制御が難しい場合があるが、本実施の形態によれば、押す位置により一定の再生速度で再生をすることができ、容易に速度制御をすることができる。
【００７１】
また、押圧検出部３０１を押しながら押圧検出部３０２の位置まで操作円盤部２３を時計回り方向に回転させると、制御部１１には、押圧検出部３０１から第２制御信号が入力されると共に、光センサ部２９から操作円盤部２３の回転状態（回転速度及び回転方向）を示す第１制御信号が入力される。制御部１１は、この第１制御信号及び第２制御信号が入力されると、早送りのスキャン速度を２倍速から４倍速へ段々速くなるように制御する。同様に、押圧検出部３０１を押しながら押圧検出部３０４の位置まで操作円盤部２３を時計回り方向に回転させると、制御部１１には、第１制御信号及び第２制御信号が入力され、早送りのスキャン速度を２倍速→４倍速→８倍速→１６倍速へと段々速くなるように制御する。したがって、スキャンモードにおいて、操作円盤部２３を押圧しながら時計回り方向に回転させると、早送りのスキャンの速度を操作円盤部２３の回転角度に応じて速くさせることができる。また、押圧検出部３０５を押しながら、押圧検出部３０６の位置まで操作円盤部２３を反時計回り方向に回転させると、制御部１１には、押圧検出部３０５から第２制御信号が入力されると共に、光センサ部２９から操作円盤部２３の回転状態を示す第１制御信号が入力される。制御部１１は、この第１制御信号及び第２制御信号が入力されると、早戻りのスキャン速度を２倍速から４倍速へ段々速くなるように制御する。同様に、押圧検出部３０５を押しながら押圧検出部３０８の位置まで操作円盤部２３を反時計回り方向に回転させると、制御部１１には、第１制御信号及び第２制御信号が入力され、早戻りのスキャン速度を２倍速→４倍速→８倍速→１６倍速へと段々速くなるように制御する。したがって、スキャンモードにおいて、操作円盤部２３を押圧しながら反時計回り方向に回転させると、早戻りのスキャンの速度を操作円盤部２３の回転角度に応じて速くさせることができる。
【００７２】
さらに、スキャンモードにおいて、マニュアルサーチ（１フレーム単位でのサーチ）をする場合は、押圧検出部３０１〜押圧検出部３０８のスイッチ部３０ａが押圧されない力加減で操作円盤部２３を回転操作する。制御部１１は、光センサ部２９から第１制御信号のみが入力されると、操作円盤部２３の回転方向に応じてフレームのサーチを行う。この場合、操作円盤部２３が時計回り方向に回されると、再生開始位置が１フレーム単位でフレーム番号が増加する方向に進み、反時計回りに回されると、再生開始位置が１フレーム単位でフレーム番号が減少する方向に進む。制御部１１は、操作円盤部２３の回転が停止したときに、再生開始位置から通常再生を行う。また、このとき、操作円盤部２３の回転速度に応じて飛び越すフレーム数を増加または減少させるように制御してもよい。
【００７３】
このように、スキャンモードでは、操作円盤部２３が押下された位置により再生速度および方向が制御されるため、操作者は再生速度および方向を容易に選択することができる。また、スイッチ部３０ａが押圧されない力加減で操作円盤部２３を回転操作させることにより、マニュアルサーチをさせることができる。
【００７４】
上記実施の形態においては、３つのモードの例を示したが、さらに異なるモードを備えるようにしてもよい。例えば、入力スイッチモード２をさらに追加することで、他の入力スイッチの機能を割り当てて、入力スイッチをさらに８個減らすことができる。また、押圧検出部の数は８つ以外でもよく、さらに押圧検出部の数を増やしてもよい。押圧検出部が設置される位置は、押圧されたときに、２つの押圧検出部が同時に押下されないような離れた、異なる位置に配置されていれば、同一円周上に等間隔で備えなくてもよい。
【００７５】
さらに、隣り合った押圧検出部を２つ同時に押下した場合には、前述とは異なる入力スイッチや異なるスキャン速度などの指示機能を割り当てるようにしてもよい。
【００７６】
第２の実施の形態によれば、モード選択ボタンにより、スクラッチモード、入力スイッチモード、スキャンモードを切り替えることができ、操作円盤部での操作により、すべてのモードにおける各々の操作を指示することができるので、操作性を向上させることができる。押圧検出部３０１〜押圧検出部３０８のスイッチ部３０ａが押圧されない力加減で操作円盤部２３を回転操作する場合と、押圧されるように強く押された場合で、異なる操作を指示することができ、操作性を向上させることができる。
【００７７】
また、操作円盤部が複数の入力スイッチ等を兼ねるので、入力ボタンを効率よく配置することができる。このため、操作パネルに設けられる、操作円盤部以外の入力スイッチを少なくすることができ、操作パネル面積を小さくすることができる。
【図面の簡単な説明】
【００７８】
【図１】本発明の実施の形態におけるＣＤプレーヤの構成例を示すブロック図。
【図２】本発明の実施の形態におけるジョグダイヤルの断面図（操作円盤部が押圧されていない状態）を示す図。
【図３】本発明の実施の形態におけるジョグダイヤルの断面図（操作円盤部が押圧されている状態）を示す図。
【図４】本発明の実施の形態におけるジョグダイヤルの上面図を示す説明図。
【００７９】
【図５】本発明の実施の形態における制御信号に対する再生動作の説明図。
【図６】本発明の実施の形態におけるＣＤプレーヤの再生動作を説明するフローチャート。
【図７】本発明の実施の形態におけるジョグダイヤルの上面図を示す説明図。
【図８】本発明の実施の形態におけるＣＤプレーヤのモード切替を説明するフローチャート。
【図９】本発明の実施の形態における操作部の機能ブロック図。
【符号の説明】
【００８０】
１…ターンテーブル、２…スピンドルモータ、３…サーボ制御部、４…光ピックアップ、５…再生アンプ、６…信号処理部、７…メモリ制御部、８…ＲＡＭ、９…ＤＡＣ、１０…出力端子、１１…制御部、１２…操作部、１３…表示部、２１…載置部、２２…マット部、２３…操作円盤部、２３ａ…突起部、２４…保持部、２５…回転軸、２６…ネジ、２７…スケール部、２７ａ…スリット部、２８…ＣＤプレーヤの筺体部、２９…光センサ部、３０…押圧検出部、３０ａ…スイッチ部。
【図１】
2006040471.tif 000003
【図２】
2006040471.tif 000004
【図３】
2006040471.tif 000005
【図４】
2006040471.tif 000006
【図５】
2006040471.tif 000007
【図６】
2006040471.tif 000008
【図７】
2006040471.tif 000009
【図８】
2006040471.tif 000010
【図９】
2006040471.tif 000011